(57)【要約】【課題】強度が高く、癖付けされ難いとともに、身体への当たり具合が快適な破損し難い釣用ベルト体及びこれを用いた釣用バックの提供を目的としている。【解決手段】本発明の釣用ベルト体３０は、網状体から成る内層３４と、この内層３４の上下を覆う合成樹脂から成る外層３２Ａ，３２Ｂとを有し、上下の外層３２Ａ，３２Ｂ同士が、内層３４の網状体の目３６を通じて互いに連結されていることを特徴とする。【選択図】    図４
2004236559.tif 000002
【特許請求の範囲】
【請求項１】
網状体から成る内層と、この内層の上下を覆う合成樹脂から成る外層とを有し、上下の外層同士は、前記内層の網状体の目を通じて互いに連結されていることを特徴とする釣用ベルト体。
【請求項２】
上下の外層の少なくとも一方は、前記網状体の線条に対応する表面部位が凸状に形成され、前記網状体の目に対応する表面部位が凹状に形成されていることを特徴とする請求項１に記載の釣用ベルト体。
【請求項３】
前記網状体を形成する線条は、複数の繊維によって形成されていることを特徴とする請求項１または請求項２に記載の釣用ベルト体。
【請求項４】
その長手方向に沿う縁部の肉厚が他の部位のそれに比べて厚く形成されていることを特徴とする請求項１ないし請求項３のいずれか１項に記載の釣用ベルト体。
【請求項５】
その長手方向に沿う縁部で網状体を形成する線条が露出していないことを特徴とする請求項１ないし請求項４のいずれか１項に記載の釣用ベルト体。
【請求項６】
請求項１ないし請求項５のいずれか１項に記載の釣用ベルト体を備えた釣用バック。
【発明の詳細な説明】
【０００１】
【発明の属する技術分野】
本発明は、ビク、釣具を収納するバック、撒き餌を収納するバケツ、釣竿ケース、保冷箱等のショルダーベルト、ウエストバック用のベルト、または、直接に釣用ベルトに用いることができる釣用ベルト体及びこれを用いた釣用バックに関する。
【０００２】
【従来の技術】
従来の釣用バックのショルダーベルトとしては、厚手の合成樹脂繊維の織布から成る帯状のショルダーベルト（例えば、シマノ社２００２フィッシング  タックル  カタログ  １７３頁参照）や、合成樹脂で一体に帯状に形成したショルダーベルトなどが多く使用されていた。
【０００３】
【発明が解決しようとする課題】
このような従来のショルダーベルトは、前者の場合（厚手の合成樹脂繊維の織布から成る帯状のショルダーベルトの場合）、濡れると水を吸ってしまい、持ち運び時に不快となる。また、釣りで使用される撒き餌が繊維目に入り込んでしまい、汚れ易く、また、釣り針等が刺さり易い。
【０００４】
一方、後者の場合（合成樹脂で一体に帯状に形成したショルダーベルトの場合）、材料自体が延びて癖付けされ易く、ベルトの形状が歪んだまま元に戻らなくなると、バック使用時における身体へのショルダーベルトの当たり具合が不快となる。
【０００５】
また、以上のようなショルダーベルトの他、従来から、合成樹脂繊維の織布から成る帯状体の外側を合成樹脂で覆ったショルダーベルトも存在するが、このようなショルダーベルトは、内部に通された合成樹脂繊維の織布と外側を覆った合成樹脂層とが接合されておらず、合成樹脂繊維の織布が単に内部に挿通された状態であるため、外側を覆った合成樹脂層が癖付けされてしまうと、内部に通された合成樹脂繊維の織布と外側を覆った合成樹脂層とがずれて、合成樹脂繊維の織布に皺が形成された状態となってしまう。そのため、合成樹脂のみで形成されたショルダーベルトよりも一度癖が付くと更に元に戻らなくなり、バック使用時における身体へのショルダーベルトの当たり具合が不快であった。
【０００６】
本発明は前記事情に着目してなされたものであり、その目的とするところは、強度が高く、癖付けされ難いとともに、身体への当たり具合が快適な破損し難い釣用ベルト体及びこれを用いた釣用バックを提供することにある。
【０００７】
【課題を解決するための手段】
前記課題を解決するために、本発明の釣用ベルト体は、網状体から成る内層と、この内層の上下を覆う合成樹脂から成る外層とを有し、上下の外層同士が、前記内層の網状体の目を通じて互いに連結されていることを特徴とする。
【０００８】
【発明の実施の形態】
以下、図面を参照しながら、本発明の実施形態について説明する。
【０００９】
図１〜図６は本発明の第１の実施形態を示している。図１に示されるように、本実施形態に係る釣用ベルト体３０を備えた釣用バック（バケツ）１０は、底壁部と４つの側壁部とを有する角形の箱状容器本体１２を有し、この容器本体１２の上部開口を天壁部を形成する蓋体１４で開閉することができる。この蓋体１４は、ヒンジ１６を介して容器本体１２の上縁部に取付けられ、開いた時に容器本体１２の上部開口の全体を外部に開口させ、閉じた時にチャック１８によりその外周部に沿って容器本体１２の上縁部に止着し、容器本体１２の上部開口を閉塞することができる。
【００１０】
なお、蓋体１４を容器本体１２に止着する手段としては、このような略全周にわたって延設するチャック１８の他にも、例えばヒンジ１６の反対側の部位等の適宜個所を部分的に連結する締結具を用いることも可能である。
【００１１】
また、容器本体１２の側壁部の外側には、携帯用のショルダベルトとして、釣用ベルト体３０が取付部２０を介して取り付けられている。また、この釣用ベルト体３０には、背当て（肩当て）３５が挿通されている。
【００１２】
図２〜図５に明確に示されるように、ベルト体３０は、網状体から成る内層３４と、この内層３４の上下を覆う合成樹脂から成る外層３２Ａ，３２Ｂとによって構成されている。上下の外層３２Ａ，３２Ｂは、内層３４の網状体の中に侵入しており、網状体の目３６を通じて互いに連結されて一体化されている。すなわち、網状体から成る内層３４は、上下の合成樹脂から成る外層３２Ａ，３２Ｂ中に固定状態で埋設されている。
【００１３】
内層３４は、上下の外層３２Ａ，３２Ｂよりも引張り強度が大きい材料の繊維や線体、例えば、ナイロン、ポリエステル等の合成樹脂、ケプラー、カーボン、ガラス、金属等から成る線条３８を、ベルト体３０の長手方向及びこれと直交する方向にそれぞれ配することによって多数の目３６を有する網状に形成され、ベルト体３０を補強する。具体的には、内層３４は、図２に明確に示されるように、ベルト体３０の長手方向に沿って延びる複数の第１の線条３８ａと、第１の線条３８ａと直角に交差して延びる複数の第２の線条３８ｂとによって形成され、これらの線条３８ａ，３８ｂ間に上下の外層３２Ａ，３２Ｂが入り込んで連結された状態で維持された目３６を有する。
【００１４】
一方、外層３２Ａ，３２Ｂは、身体への当たりが柔らかくなるように、内層３４よりも柔らかい材料、例えばポリ塩化ビニルやポリウレタン等の合成樹脂によって形成されている。外層３２Ａ，３２Ｂは、網状体から成る内層３４の上下を覆う他、前述したように線条３８によって仕切られた目３６に入ってこれらを埋め、更に、これらの目３６を介して一体に連結されることにより、ベルト体３０を補強している。また、外層３２Ａ，３２Ｂは、非透水性を有しており、水が染み込まないようになっている。
【００１５】
また、本実施形態においては、図３〜図５に明確に示されるように、両方の外層３２Ａ，３２Ｂの表面に凹凸が形成されている。具体的には、網状体を形成する線条３８（３８ａ，３８ｂ）に対応する外層３２Ａ，３２Ｂの表面部位３２Ａａ，３２Ｂａが凸状に形成され、目３６に対応する外層３２Ａ，３２Ｂの表面部位３２Ａｂ，３２Ｂｂが凹状に形成されている。すなわち、外層３２Ａ，３２Ｂの表面は、  網状体の線条３８と目３６の凹凸を表面に浮き出させるような凹凸形状を成すべく凸部３２Ａａ，３２Ｂａと凹部３２Ａｂ，３２Ｂｂとを有している。
【００１６】
このような外層３２Ａ，３２Ｂ表面の凹凸形状は、身体に対する滑りを防止して、身体に対するベルト３０の確実な保持を可能にするとともに、ベルト体３０に対して背当て３５が移動してしまうことを防止することもできる。
【００１７】
すなわち、図３に示されるように、背当て３５は、底部３５ａと、底部３５ａとの間でベルト体３０を両側で挟持する一対の支持体３５ｂ，３５ｂと、支持体３５ｂ，３５ｂと対向する底部３５ａの部位に形成され且つベルト体３０を下側に露出させる下側開口部３５ｃ、３５ｃと、支持体３５ｂ、３５ｂ間でベルト体３０を上側に露出させる上側開口部３５ｄとを有しているが、背当て３５の底部３５ａおよび支持体３５ｂ、３５ｂの内面が外層３２Ａ，３２Ｂの凸部３２Ａａ，３２Ｂａに当て付いて摩擦接触することにより、ベルト体３０に対する背当て３５の移動（滑り）が防止される。
【００１８】
また、本実施形態において、ベルト体３０は、その長手方向に沿う縁部３９が他の部位よりも肉厚に形成されている。具体的には、図４に明確に示されるように、ベルト体３０の長手方向に沿う両側の縁部３９の肉厚Ｗ２は、これらの間に位置するベルト体３０の中央側部位の肉厚Ｗ１よりも厚く形成されている。また、本実施形態においては、縁部３９がベルト体３０の一側（上方）へ屈曲して形成されている。
【００１９】
また、図２および図４に明確に示されるように、本実施形態において、網状体を形成する線条３８は、ベルト体３０の長手方向に沿う縁部３９で露出しないように形成されている。
【００２０】
なお、本実施形態において、外層３２Ａ，３２Ｂを透光性材料によって形成すると、内層３４（網状体）を外部から視認でき、外観上望ましい。この場合、内層３４の左右両側端を隠すように外層３２Ａ，３２Ｂの表面に着色を施したり、あるいは、内層３４の左右両側端を非透光性（例えば有色）の合成樹脂で覆うと、見栄えが良い。
【００２１】
図６には、ベルト体３０の製造方法が概略的に示されている。ベルト体３０を製造する場合には、まず、図示のように、網状体から成る内層３４の上下に外層３２Ａ，３２Ｂを形成する合成樹脂シート３２Ａ’，３２Ｂ’を配する（合成樹脂シート３２Ａ’，３２Ｂ’間に網状体３４を挟み込む）。そして、その状態で、例えば上下から押圧しつつ加熱して、合成樹脂シート３２Ａ’，３２Ｂ’を溶融させることにより、溶融樹脂を網状体の目３６に充填させる。これにより、目３６を介して上下の合成樹脂シート３２Ａ’，３２Ｂ’が一体化され、合成樹脂シート３２Ａ’，３２Ｂ’間に網状体が固定状態で埋設されたベルト体３０が成形される。
【００２２】
なお、このような成形工程における前記押圧時には、ベルト体３０の縁部３９の近傍が確実に接合されるように、縁部３９のやや内側を強く押圧することが望ましい。これにより、縁部３９に樹脂溜りが形成され、前述したように縁部３９を厚肉にすることができる。更に、この押圧時に縁部３９を屈曲させることが好ましい。
【００２３】
内層３４を網状体として形成することなく、例えば長手方向に揃えた第１の線条３８ａのみによって内層３４を形成すると、前述した押圧／加熱成形時に線条３８ａが蛇行してしまうが、本実施形態のように第１の線条３８ａと第２の線条３８ｂとを網状に交差させて内層３４を形成すれば、成形時に線条３８が歪むようなことがない。したがって、ベルト体３０自体も歪むことなく形成され、ベルト体３０の強度も大きくできる。
【００２４】
以上説明したように、本実施形態のベルト体３０は、網状体から成る内層３４と、この内層３４の上下を覆う合成樹脂から成る外層３２Ａ，３２Ｂとを有し、上下の外層３２Ａ，３２Ｂ同士が、内層３４の網状体の目３６を通じて互いに連結されている。すなわち、網状体から成る内層３４が上下の合成樹脂から成る外層３２Ａ，３２Ｂ中に固定状態で埋設されている。したがって、ベルト体３０の強度が高く、癖付けされ難いとともに、万が一癖付けされても、内部に固定状態で埋設された内層３４が外層３２Ａ，３２Ｂに対してずれることがないため、元に戻り易い。その結果、バック使用時における身体へのベルト体３０の当たり具合を快適に維持することが可能となる。
【００２５】
また、本実施形態のベルト体３０は、網状体を形成する線条３８（３８ａ，３８ｂ）に対応する外層３２Ａ，３２Ｂの表面部位３２Ａａ，３２Ｂａが凸状に形成され、目３６に対応する外層３２Ａ，３２Ｂの表面部位３２Ａｂ，３２Ｂｂが凹状に形成されている。したがって、身体に対するベルト体３０の滑りを防止でき、身体に対してベルト３０を確実に保持できるとともに、ベルト体３０に対して背当て３５が移動してしまうことも防止できる。
【００２６】
また、本実施形態のベルト体３０は、その長手方向に沿う縁部３９の肉厚が他の部位のそれに比べて厚く形成されている。したがって、ベルト体３０の摩損を効果的に防止できる。特に、本実施形態では、縁部３９が上方へ屈曲して形成されているため、ベルト体３０の縁部３９での破損を更に確実に防止できる。
【００２７】
また、本実施形態のベルト体３０は、その長手方向に沿う縁部３９で網状体を形成する線条が露出していない。したがって、ベルト体３０の身体に対する当たり具合が良好となり、網状体の破損も防止できる。
【００２８】
また、本実施形態のベルト体３０は、外層３２Ａ，３２Ｂが非透水性を有しているため、水が染み込まず、持ち運びが快適である。また、外層３２ａ，３２ｂが合成樹脂からなるため、釣り針が引っ掛り難く、汚れを簡単に拭きとって除去することができる。
【００２９】
図７は、本発明の第２の実施形態に係るベルト体３０Ａを示している。図示のように、本実施形態のベルト体３０Ａの内層３４は、網状体を形成する線条３８’が、ベルト体３０Ａの長手方向に対してそれぞれ異なる方向で斜行した第１および第２の線条３８ａ’，３８ｂ’によって形成されている。なお、それ以外の構成は第１の実施形態と同一であり、同一符号を付してその説明を省略する。
【００３０】
このように、内層３４を形成する網状体は、第１の実施形態のように線条を直交して交差させることなく本実施形態のように斜めに交差させても、前述したと同様の効果を得ることができる。また、網状体は、第１および第２の実施形態のように格子状に形成する必要はない。要は、外層３２Ａ，３２Ｂ同士を接続できる目３６を有していれば、格子状以外の形状で線条が配されていても良い。
【００３１】
図８は、本発明の第３の実施形態に係るベルト体３０Ｂを示している。図示のように、本実施形態のベルト体３０Ｂは、片側の外層３２Ｂの表面のみに凹凸が形成されている。すなわち、一方の外層３２Ｂは、網状体を形成する線条３８（３８ａ，３８ｂ）に対応する表面部位３２Ｂａが凸状に形成され、目３６に対応する表面部位３２Ｂｂが凹状に形成されているが、他方の外層３２Ａは凹凸を有することなく略平坦に形成されている。なお、それ以外の構成は第１の実施形態と同一であり、同一符号を付してその説明を省略する。
【００３２】
図９は、本発明の第４の実施形態に係るベルト体３０Ｃを示している。図示のように、本実施形態のベルト体３０Ｃは、内層３４の網状体を形成する線条が複数の繊維によって形成されている。具体的には、内層３４を形成する網状体の線条３８”は、ベルト体３０の長手方向に沿って延びる複数の第１の線条３８ａ”と、第１の線条３８ａ”と直角に交差して延びる複数の第２の線条３８ｂ”とによって形成されており、各線条３８ａ”，３８ｂ”は複数の繊維ｆを編み込むことによって形成されている。また、各外層３２Ａ，３２Ｂの表面には、第１および第２の線条３８ａ”，３８ｂ”同士が交差する部位に対応して凸部３２Ａａ’，３２Ｂｂ’が形成されるとともに、凸部３２Ａａ’，３２Ｂａ’間に凹部３２Ａｂ’，３２Ｂｂ’が形成されている。なお、それ以外の構成は第１の実施形態と同一であり、同一符号を付してその説明を省略する。
【００３３】
また、本実施形態においては、編み込まれた複数の繊維ｆ同士の隙間ｓに外層３２Ａ，３２Ｂの合成樹脂が入り込んでいなくても良いが、合成樹脂が繊維ｆ同士の隙間ｓに入り込むように形成すれば、外層３２Ａ，３２Ｂと内層３４との接合強度を更に大きくすることができる。
【００３４】
本実施形態のように、異なる方向の線条３８ａ”，３８ｂ”が複数の繊維ｆで形成され、両方の線条３８ａ”，３８ｂ”を編み込んで網状体を形成すると、線条３８ａ”，３８ｂ”が交差する部分がずれにくく、また、外層３２Ａ，３２Ｂとの関係においてもズレが防止され、ベルト体３０Ｃの補強効果が向上する。
【００３５】
図１０および図１１は、前述した各実施形態に係るベルト体３０（３０Ａ，３０Ｂ，３０Ｃ）の他の使用形態を示している。前述した第１の実施形態では、ベルト体３０が釣用バックに使用されているが、図１０では、ベルト体３０（３０Ａ，３０Ｂ，３０Ｃ）が釣用ウエストバックに使用され、図１１では、ベルト体３０（３０Ａ，３０Ｂ，３０Ｃ）が釣用ウエストベルトとして使用されている。具体的には、図１０において、ベルト体３０（３０Ａ，３０Ｂ，３０Ｃ）は、釣用ウエストバック５０のベルト挿通体５２に挿通されており、両端に設けられたバックル５４を用いて釣り人の腰周りに装着される。一方、図１１において、ベルト体３０（３０Ａ，３０Ｂ，３０Ｃ）は、両端に設けられたバックル５４を用いて釣り人の腰周りに装着され、ビクやおとり缶（おとりアユが収容される缶）のロープが取り付けられる係止金具と、背当て３５とが挿通されている。このように、ベルト体３０（３０Ａ，３０Ｂ，３０Ｃ）は、釣り用バックに限られず、様々な釣用備品に適用でき、ひいては、ゴルフバック等、釣り以外の備品にも使用することができる。つまり、ベルト体３０（３０Ａ，３０Ｂ，３０Ｃ）は、スポーツ、レジャー用のバック全般に使用できるものである。
【００３６】
【発明の効果】
以上説明したように、本発明によれば、強度が高く、癖付けされ難いとともに、身体への当たり具合が快適な破損し難い釣用ベルト体及びこれを用いた釣用バックを提供できる。
【図面の簡単な説明】
【図１】本発明の第１の実施形態に係る釣用ベルト体が適用される釣用バックの斜視図である。
【図２】図１の釣用ベルト体の平面図である。
【図３】図１のＡ−Ａ線に沿う断面図である。
【図４】図１のＢ−Ｂ線に沿う断面図である。
【図５】図１のＣ−Ｃ線に沿う断面図である。
【図６】図１のベルト体の製造方法を概略的に示す斜視図である。
【図７】本発明の第２の実施形態に係るベルト体の平面図である。
【図８】本発明の第３の実施形態に係るベルト体の断面図である。
【図９】本発明の第４の実施形態に係るベルト体の断面図である。
【図１０】本発明に係るベルト体を釣用ウエストバックに適用した状態を示す斜視図である。
【図１１】本発明に係るベルト体を釣用ウエストベルトとして使用した状態を示す斜視図である。
【符号の説明】
３０，３０Ａ，３０Ｂ，３０Ｃ…ベルト体
３２Ａ，３２Ｂ…外層
３２Ａａ，３２Ｂａ…凸部
３２Ａｂ，３２Ｂｂ…凹部
３４…内層
３６…目
３８…線条
【図１】
2004236559.tif 000003
【図２】
2004236559.tif 000004
【図３】
2004236559.tif 000005
【図４】
2004236559.tif 000006
【図５】
2004236559.tif 000007
【図６】
2004236559.tif 000008
【図７】
2004236559.tif 000009
【図８】
2004236559.tif 000010
【図９】
2004236559.tif 000011
【図１０】
2004236559.tif 000012
【図１１】
2004236559.tif 000013